(57)【要約】【課題】  電気光学装置において表示される表示画像における縦クロストークを低減する。【解決手段】  複数の走査線に夫々走査信号を供給する走査線駆動回路と、（ｉ）正極性及び負極性のうち画素スイッチング用の薄膜トランジスタがＮチャネル型であるか又はＰチャネル型であるかに応じて決定されるいずれかの極性を有する画像信号と（ｉｉ）画像信号と異なる極性を有するベタ信号とを各データ線を介して複数の画素部に夫々所定周期で交替で供給する画像信号供給回路とを備える。【選択図】  図８
2006030970.tif 000002
【特許請求の範囲】
【請求項１】
基板上の画像表示領域に、複数のデータ線及び複数の走査線と、表示素子並びに前記データ線及び前記走査線に電気的に接続されると共に前記表示素子をスイッチング制御する片チャネル型の薄膜トランジスタを夫々含む複数の画素部とを備える電気光学装置を駆動するための駆動回路であって、
前記複数の走査線に夫々走査信号を供給する走査線駆動回路と、
(ｉ)基準電位に対して正極性及び負極性のうち前記薄膜トランジスタがＮチャネル型であるか又はＰチャネル型であるかに応じて決定されるいずれかの極性を有すると共に前記画像表示領域に表示画像を表示するための画像信号と(ｉｉ)前記画像信号と異なる極性を有すると共に前記画像表示領域に特定色のベタ画像を表示するためのベタ信号とを、前記データ線を介して前記複数の画素部に対して夫々、所定周期で交替で供給する画像信号供給回路と
を備えたことを特徴とする電気光学装置の駆動回路。
【請求項２】
前記画像信号供給回路は、前記ベタ画像として黒色画像を表示するための黒信号を前記ベタ信号として供給すること
を特徴とする請求項１に記載の電気光学装置の駆動回路。
【請求項３】
前記薄膜トランジスタは、Ｎチャネル型であり、
前記画像信号供給手段は、正極性の前記画像信号を供給すると共に、前記ベタ画像として黒色画像を表示するための、負極性の黒信号を前記ベタ信号として供給することを特徴とする請求項１に記載の電気光学装置の駆動回路。
【請求項４】
前記画像信号供給回路は、前記複数の走査線に対し連続して供給される二つの走査信号のうち一方の走査信号が供給される期間に、前記一方の走査信号が供給される走査線に対応する前記画素部に、前記画像信号を前記データ線を介して供給し、前記二つの走査信号のうち他方の走査信号が供給される期間に、前記他方の走査信号が供給される走査線に対応する前記画素部に、前記ベタ信号を前記データ線を介して供給することを特徴とする請求項１から３のいずれか一項に記載の電気光学装置の駆動回路。
【請求項５】
前記走査線駆動回路は、前記画像表示領域を、前記走査線に沿う分割線により分割して得られる複数の部分領域について、該複数の部分領域に対して交替に且つ各部分領域における前記複数の走査線に対して順番に、前記走査信号を供給し、
前記画像信号供給回路は、前記複数の部分領域のうち対をなす二つの部分領域について、各部分領域における一の走査線に対して前記走査信号が供給された後、該一の走査線に再び前記走査信号が供給されるまでの間、前記二つの部分領域の一方における前記画素部に前記画像信号及び前記ベタ信号のうち一方を前記データ線を介して供給し、前記二つの部分領域の他方における前記画素部に、前記画像信号及び前記ベタ信号のうち他方を前記データ線を介して供給すること
を特徴とする請求項４に記載の電気光学装置の駆動回路。
【請求項６】
前記複数の部分領域は、前記分割線により、夫々平面的に見た面積が相互に略等しくなるように分割して得られる二つの部分領域であり、
前記走査線駆動回路は、前記二つの部分領域に対して交互に且つ各部分領域における前記複数の走査線に対して線順次に前記走査信号を供給し、
前記一方の部分領域における前記一の走査線に対し、前記他方の部分領域における前記一の走査線は、前記データ線に沿って前記画像表示領域の半分先に位置することを特徴とする請求項５に記載の電気光学装置の駆動回路。
【請求項７】
前記画像信号供給回路は、前記複数の画像部の全てに対する前記画像信号の供給と、前記複数の画像部の全てに対する前記ベタ信号の供給とを、交互に繰り返すことを特徴とする請求項１から３のいずれか一項に記載の電気光学装置の駆動回路。
【請求項８】
請求項１から７のいずれか一項に記載の前記電気光学装置の駆動回路を備えたことを特徴とする電気光学装置。
【請求項９】
請求項８に記載の電気光学装置を具備してなることを特徴とする電子機器。
【請求項１０】
基板上の画像表示領域に、複数のデータ線及び複数の走査線と、表示素子並びに前記データ線及び前記走査線に電気的に接続されると共に前記表示素子をスイッチング制御する片チャネル型の薄膜トランジスタを夫々含む複数の画素部とを備える電気光学装置を駆動するための駆動方法であって、
前記複数の走査線に夫々走査信号を供給する第１工程と、
(ｉ)基準電位に対して正極性及び負極性のうち前記薄膜トランジスタがＮチャネル型であるか又はＰチャネル型であるかに応じて決定されるいずれかの極性を有すると共に前記画像表示領域に表示画像を表示するための画像信号と(ｉｉ)前記画像信号と異なる極性を有すると共に前記画像表示領域に特定色のベタ画像を表示するためのベタ信号とを、前記データ線を介して前記複数の画素部に対して夫々、所定周期で交替で供給する第２工程と
を備えたことを特徴とする電気光学装置の駆動方法。
【請求項１１】
前記第２工程において、前記ベタ画像として黒色画像を表示するための黒信号を前記ベタ信号として供給すること
を特徴とする請求項１０に記載の電気光学装置の駆動方法。
【請求項１２】
前記薄膜トランジスタは、Ｎチャネル型であり、
前記第２工程において、正極性の前記画像信号を供給すると共に、前記ベタ画像として黒色画像を表示するための、負極性の黒信号を前記ベタ信号として供給することを特徴とする請求項１０に記載の電気光学装置の駆動方法。
【請求項１３】
前記第２工程において、前記複数の走査線に対し連続して供給される二つの走査信号のうち一方の走査信号が供給される期間に、前記一方の走査信号が供給される走査線に対応する前記画素部に、前記画像信号を前記データ線を介して供給し、前記二つの走査信号のうち他方の走査信号が供給される期間に、前記他方の走査信号が供給される走査線に対応する前記画素部に、前記ベタ信号を前記データ線を介して供給することを特徴とする請求項１０から１２のいずれか一項に記載の電気光学装置の駆動方法。
【請求項１４】
前記第１工程において、前記画像表示領域を、前記走査線に沿う分割線により分割して得られる複数の部分領域について、該複数の部分領域に対して交替に且つ各部分領域における前記複数の走査線に対して順番に、前記走査信号を供給し、
前記第２工程において、前記複数の部分領域のうち対をなす二つの部分領域について、各部分領域における一の走査線に対して前記走査信号が供給された後、該一の走査線に再び前記走査信号が供給されるまでの間、前記二つの部分領域の一方における前記画素部に前記画像信号及び前記ベタ信号のうち一方を前記データ線を介して供給し、前記二つの部分領域の他方における前記画素部に、前記画像信号及び前記ベタ信号のうち他方を前記データ線を介して供給すること
を特徴とする請求項１３に記載の電気光学装置の駆動方法。
【請求項１５】
前記第１工程において、前記複数の部分領域として、前記分割線により、夫々平面的に見た面積が相互に略等しくなるように分割して得られる二つの部分領域に対して交互に且つ各部分領域における前記複数の走査線に対して線順次に前記走査信号を供給し、
前記一方の部分領域における前記一の走査線に対し、前記他方の部分領域における前記一の走査線は、前記データ線に沿って前記画像表示領域の半分先に位置することを特徴とする請求項１４に記載の電気光学装置の駆動方法。
【請求項１６】
前記第２工程において、前記複数の画像部の全てに対する前記画像信号の供給と、前記複数の画像部の全てに対する前記ベタ信号の供給とを、交互に繰り返すことを特徴とする請求項１０から１２のいずれか一項に記載の電気光学装置の駆動方法。
【発明の詳細な説明】
【技術分野】
【０００１】
本発明は、例えば液晶パネル等の電気光学パネルを含む電気光学装置を駆動する駆動回路及び駆動方法、該駆動回路を備えてなる例えば液晶装置等の電気光学装置、並びにそのような電気光学装置を具備してなる例えば液晶プロジェクタ等の電子機器の技術分野に関する。
【背景技術】
【０００２】
この種の駆動回路によって駆動される電気光学装置の一例として、特許文献１又は２には、基板上の画像表示領域に、縦横に配線されたデータ線及び走査線、並びにそれらの交点に対応して形成された画素部を備える液晶パネルを有する液晶装置が開示されている。この液晶パネルでは、各画素部には、液晶素子と、データ線及び走査線に電気的に接続されると共に液晶素子をスイッチング制御する画素スイッチング素子が設けられている。画素スイッチング素子は、例えば片チャネル型としてＮチャネル型若しくはＰチャネル型の薄膜トランジスタ（Ｔｈｉｎ Ｆｉｌｍ Ｔｒａｎｓｉｓｔｏｒ；以下適宜、“ＴＦＴ”と称する）を用いて構成される。このような液晶パネルの駆動時には、直流成分の印加による液晶の劣化を防止する等のために、液晶素子は、正極性若しくは負極性のいずれかの極性を有する画像信号に基づいて交流駆動される。
【０００３】
尚、特許文献１によれば、走査線数がビデオソースの走査線数より多い液晶パネルにおいて画像表示を行う際に、駆動回路によって帰線期間に表示期間の通常動作の２倍の高速走査が行われる。また、特許文献２によれば、駆動回路は、画像信号の入出力特性を液晶パネルの種別に応じて制御する。
【０００４】
【特許文献１】特開平９−２６９７５３号公報
【特許文献２】特開２００２−２２１９４０号公報
【発明の開示】
【発明が解決しようとする課題】
【０００５】
ここで、液晶素子を交流駆動すると、データ線には、正極性及び負極性の画像信号が何らかの形式で交替で供給される。すると、画像信号がいずれかの極性の場合に、画素スイッチング用のＴＦＴにおけるゲート及びソース間電圧が、相対的に閾値電圧に近い値となる。即ち、各ＴＦＴでは、オフ時にリークし易い、特に動作時にＴＦＴのチャネル領域に侵入する光により光リークし易い状況となる。そして特に、一の画素電極に対する画像信号の電圧供給を終えたデータ線における電圧が、同一のデータ線に接続された他の画素電極に対する画像信号の電圧供給を行う際に、変化すると、このようなＴＦＴを介してのリークによるリーク電流が、一の画素電極について生じる。よって、同一データ線に夫々ＴＦＴを介して接続された画素列間で、縦クロストークが発生する。但し、例えば、黒色表示の電位を保持する画素電極や白色表示の電位を保持する画素電極では、リークによる電位の変化（降下又は上昇）では、一般的な液晶素子の印加電圧−階調特性からして、階調の変化としてはそれ程顕在化しない。この結果、人間の目により視認される程の縦クロストークとはなり難い。或いは、例えば、横方向に伸びる黒ラインを表示する場合、上述した縦クロストークによって、表示画面の全域が一様に階調変化することはあり得るが、この場合にも、全域の変化であるが故に、人間の目により視認される程の縦クロストークとはならない。
【０００６】
他方、画像表示領域に、表示画像として中間調の背景に、黒い点や黒いブロックなどの黒色のパターンを表示させるような場合に、上述したリーク電流が発生すると、中間調に対応する電圧を保持している画素部では、その電圧の変化により階調が相対的に大きく変化する。しかも、その左右に隣接する同一中間調の領域との間で階調が異なる結果となるので、人間の目に顕著に視認される縦クロストークとなる。本願明細書では、上述の如く容易に視認されない縦クロストーク及び容易に視認される縦クロストークの両者を含めて、同一データ線に接続された画素間でＴＦＴ及びデータ線を介して相互に電気的な影響を及ぼし合っているという意味合いで「広義の縦クロストーク」と適宜称し、容易に或いは顕著に視認される縦クロストークを、表示画像上において画素間で影響を及ぼし合っているという意味合いで「狭義の縦クロストーク」と適宜称する。上述の電気光学装置では、特に狭義の縦クロストークが発生すると、表示画像の品質が劣化するという問題点が生じる。
【０００７】
本発明は、上記問題点に鑑み成されたものであり、電気光学装置において表示される表示画像における縦クロストークを低減して高品質な画像表示を行うことが可能な駆動回路及び駆動方法、並びにそのような駆動回路を備えてなる電気光学装置、及び該電気光学装置を備えた各種電子機器を提供することを課題とする。
【課題を解決するための手段】
【０００８】
本発明の電気光学装置の駆動回路は上記課題を解決するために、基板上の画像表示領域に、複数のデータ線及び複数の走査線と、表示素子並びに前記データ線及び前記走査線に電気的に接続されると共に前記表示素子をスイッチング制御する片チャネル型の薄膜トランジスタを夫々含む複数の画素部とを備える電気光学装置を駆動するための駆動回路であって、前記複数の走査線に夫々走査信号を供給する走査線駆動回路と、(ｉ)基準電位に対して正極性及び負極性のうち前記薄膜トランジスタがＮチャネル型であるか又はＰチャネル型であるかに応じて決定されるいずれかの極性を有すると共に前記画像表示領域に表示画像を表示するための画像信号と(ｉｉ)前記画像信号と異なる極性を有すると共に前記画像表示領域に特定色のベタ画像を表示するためのベタ信号とを、前記データ線を介して前記複数の画素部に対して夫々、所定周期で交替で供給する画像信号供給回路とを備える。
【０００９】
本発明の駆動回路によって駆動される電気光学装置では、複数の画素部は夫々、縦横に配線された走査線とデータ線との交点に対応して配列されている。各画素部は、表示素子並びに表示素子をスイッチング制御する画素スイッチング素子としてのＴＦＴを含む。このＴＦＴはＮチャネル型又はＰチャネル型のものが用いられる。
【００１０】
電気光学装置の駆動時、各走査線は、走査線駆動回路から走査信号が供給されることにより、例えば画像表示領域の上から下に向かって線順次に駆動される。各画素部において、画素スイッチング素子には、対応する走査線を介して走査信号が供給される。画素スイッチング素子は、対応する走査線に走査信号が供給される期間にオン状態となる。
【００１１】
また、画像信号供給回路から画像信号が例えば複数のデータ線のうち一又は複数のデータ線毎に順番に供給される。そして、走査信号が走査線より供給されることによりオン状態となった画素スイッチング素子を介して、表示素子には、データ線より画像信号が供給される。このように、各走査線が走査信号に基づいて駆動されることにより、画像表示領域には表示画像が表示される。
【００１２】
更に、画像信号供給回路から各データ線にはベタ信号が供給される。ベタ信号は、画像信号と同様に、複数のデータ線のうち一又は複数のデータ線毎に順番に供給されてもよいし、各データ線にまとめて供給されてもよい。そして、走査信号が走査線より供給されることによりオン状態となった画素スイッチング素子を介して、表示素子にはデータ線よりベタ信号が供給される。このように、各走査線が走査信号に基づいて駆動されることにより、画像表示領域には特定色のベタ画像が表示される。尚、ここでいう「特定色のベタ画像」とは、画像表示領域に表示された、特定色で塗り潰された一画面を意味する。例えば、画像信号回路は、特定色のベタ画像として、黒色で塗り潰された一画面である黒色画像を表示するための黒信号をベタ信号として供給する。加えて「特定色のベタ画像」は、黒近傍の色、或いは黒っぽい色、更に灰色で塗り潰された画面であってもよい。
【００１３】
例えば、このような表示画像と、ベタ画像である黒色画像とは、フレーム画像など一画面毎に交互に表示される。或いは、これらの画像は、画像表示領域のうち部分的な領域別に表示され（例えば、後述する１フィールド期間の前半に、画像表示領域の上半分に表示画像の上半分が表示され且つ画像表示領域の下半分に黒色画像の下半分が表示され）、更に、これらの領域が相互に入れ替えられる形で表示される（例えば、後述する１フィールド期間の後半に、画像表示領域の下半分に表示画像の下半分が表示され且つ画像表示領域の上半分に黒色画像の上半分が表示される）。或いは、これらの画像は夫々、２つの部分領域（例えば、上半分と下半分）のいずれかで領域走査で表示され（例えば、後述する１フィールド期間の前半に、上半分での領域走査により表示画像が表示されつつ同時進行的に下半分での領域走査により黒色画像が表示され）且つこれらが所定周期で入れ替えられて表示される（例えば、後述する１フィールド期間の後半に、上半分での領域走査により黒色画像が表示されつつ同時進行的に下半分での領域走査により表示画像がされる）。或いは、これらの画像は、１ラインおきに互い違いに櫛歯状に表示され（例えば、１フィールド期間の前半に、奇数ラインに表示画像の奇数ライン分が表示され且つ偶数ラインに黒色画像がストライプ状に表示され）且つこれらが所定周期で入れ替えられて表示される（例えば、１フィールド期間の後半に、偶数ラインに表示画像の偶数ライン分が表示され且つ奇数ラインに黒色画像がストライプ状に表示される）。
【００１４】
ここで、例えば、画素スイッチング素子としてＮチャネル型のＴＦＴを用いる場合、画像信号供給回路より、ベタ信号として黒信号が“負極性”の電圧として供給される。すると、黒信号が供給されたデータ線に対応する画素部において、画素スイッチング素子のゲート及びソース間電圧が閾値電圧に近い値となるため、当該画素スイッチング素子の特性が変動して、光リーク電流等のオフ電流が発生し易くなる。逆に、このように画素スイッチング素子としてＮチャネル型のＴＦＴを用いる場合、画像信号供給回路より画像信号は“正極性”の電圧として供給される。すると、画像信号が供給されたデータ線に対応する画素部において、画素スイッチング素子のゲート及びソース間電圧が、閾値電圧から相対的に遠い値となるため、光リーク電流等のオフ電流が発生し難くなる。
【００１５】
他方、画素スイッチング素子としてＰチャネル型のＴＦＴを用いる場合には、ベタ信号として例えば黒信号が“正極性”の電圧として画像信号供給回路より供給される。この場合、上述したＮチャネル型のＴＦＴを用いる場合と同様、黒信号が供給されたデータ線に対応する画素部において、光リーク電流等のオフ電流が発生し易くなる。逆に、このように画素スイッチング素子としてＰチャネル型のＴＦＴを用いる場合、画像信号供給回路より画像信号は“負極性”の電圧として供給される。この場合、上述したＮチャネル型のＴＦＴを用いる場合と同様、画像信号が供給されたデータ線に対応する画素部において、光リーク電流等のオフ電流が発生し難くなる。
【００１６】
よって、画像信号の極性を、広義の縦クロストークが生じ難い方の一方に統一することで、広義の縦クロストークが発生しやすい状況は、本発明では表示画像については発生しないこととなる。従ってこの場合、例えば、表示画像中に中間調の背景中に黒い点や黒いブロックが表示されている際にも、広義の縦クロストークが殆ど生じないが故に、当然にして表示画像中に狭義のクロストークが生じることも殆どない。更に、ベタ画像としての黒色画像との関係で表示画像がどのような反転駆動方式或いは交流駆動方式で表示されても、画像信号に基づく表示画像については同様のことが当てはまり、表示画像中に狭義の縦クロストークは殆ど現れない。
【００１７】
更に、ベタ信号の極性を広義の縦クロストークが生じ易い方の他方に統一することで、広義の縦クロストークが発生しやすい状況が、本発明ではベタ画像については発生することとなる。しかしながらこの場合において、ベタ画像の表示方式に応じて一のデータ線の電位がベタ信号として一定期間（例えば、フレーム期間）安定である限りは、リークしやすいＴＦＴを介してのリーク電流は、ソース−ドレイン間における電位差がないために、殆ど流れず、広義の縦クロストークが殆ど生じない。よって、当然にして狭義の縦クロストークも殆ど生じない。更にこの場合において、ベタ画像の表示方式に応じて一のデータ線の電位がベタ画像を表示する際にベタ信号として安定でないが故に、仮に広義の縦クロストークが無視し得ない程に生じたとしても、ベタ画像が黒色画像や白色画像であれば、画素電極における多少の電圧の変化（降下又は上昇）によっては階調の変化は僅かであり、狭義の縦クロストークとして認識されることは殆どなくなる。加えてこの場合において、ベタ画像の表示方式に応じて一のデータ線の電位がベタ画像を表示する際にベタ信号として安定でないが故に、仮に広義の縦クロストークが無視し得ない程に生じたとしても、例えば、表示画像中に中間調の背景中に黒い点や黒いブロックが表示されている訳ではなく、基本的に時分割でベタ画像として例えばベタの黒色画像が表示されるので、表示画像中に狭義のクロストークが生じることは殆どない。
【００１８】
尚、ベタ画像として例えば黒色画像を表示するためにいずれかの周期で各データ線に対して黒信号が供給されると、このような黒信号が全く供給されない場合と比較して、表示画像のうち特に中間調の領域については、各ＴＦＴのリークに応じて黒信号の影響が多少出て、階調が多少変化し得るが、これは、黒色画像の表示周期で概ね画像表示領域の全域に渡って一律に生じることなので、上述の如き狭義の縦クロストークの原因とはならない。
【００１９】
以上の結果、本発明の駆動回路によれば、ベタ画像と表示画像とを何らかの形で交互に表示させつつ、電気光学装置において表示される表示画像における縦クロストークを低減することが可能となる。このため、高品質な画像表示を行うことができる。
【００２０】
本発明の電気光学装置の駆動回路の一態様では、前記画像信号供給回路は、前記ベタ画像として黒色画像を表示するための黒信号を前記ベタ信号として供給する。
【００２１】
この態様によれば、画像信号供給回路から、ベタ信号として黒信号が、基準電位に対して正極性及び負極性のうち、広義の縦クロストークが生じ易い方の極性に統一されて供給される。従って、黒色画像の表示方式に応じて一のデータ線の電位が黒色画像を表示する際に黒信号として安定でないが故に、仮に広義の縦クロストークが無視し得ない程に生じたとしても、黒色画像であるが故に、画素電極における多少の電圧の変化（降下又は上昇）によっては階調の変化は僅かであり、狭義の縦クロストークとして認識されることは殆どなくなる。加えてこの場合において、例えば、表示画像中に中間調の背景中に黒い点や黒いブロックが表示されている訳ではなく、基本的に時分割で例えばベタの黒色画像が表示されるので、表示画像中に狭義のクロストークが生じることは殆どない。
【００２２】
本発明の電気光学装置の駆動回路の他の態様では、前記薄膜トランジスタは、Ｎチャネル型であり、前記画像信号供給手段は、正極性の前記画像信号を供給すると共に、前記ベタ画像として黒色画像を表示するための、負極性の黒信号を前記ベタ信号として供給する。
【００２３】
この態様によれば、画素スイッチング素子としてＮチャネル型のＴＦＴを用いる場合、画像信号が画素スイッチング素子を介して画素部に供給されている期間において、各データ線に対応する画素部毎に縦クロストークの発生を抑制すると共に、黒信号が画素スイッチング素子を介して画素部に供給されている期間において、各データ線に対応する画素部毎に縦クロストークを発生し易い状態にすることが可能となる。また、Ｎチャネル型のＴＦＴを画素スイッチング用として用いれば、高速のスイッチング動作が可能である。
【００２４】
本発明の電気光学装置の駆動回路の他の態様では、前記画像信号供給回路は、前記複数の走査線に対し連続して供給される二つの走査信号のうち一方の走査信号が供給される期間に、前記一方の走査信号が供給される走査線に対応する前記画素部に、前記画像信号を前記データ線を介して供給し、前記二つの走査信号のうち他方の走査信号が供給される期間に、前記他方の走査信号が供給される走査線に対応する前記画素部に、前記ベタ信号を前記データ線を介して供給する。
【００２５】
この態様によれば、画像信号供給回路は、所定周期として一の走査線に走査信号が供給される周期で、各画素部に対してベタ信号と画像信号を交互に供給する。尚、ここでの「一の走査線」とは概ね、各部分領域において、当該部分領域の第１番目の走査信号が供給される第１番目の走査線に相当する。
【００２６】
そして、後述するように画像表示領域を分割して得られる複数の部分領域を夫々領域走査することにより、表示画像とベタ画像とを画像表示領域のうち部分的な領域別に表示すると共に、これらの領域を相互に入れ替えるように表示することが可能となる。
【００２７】
この、一方の走査信号が供給される期間に画像信号が供給されると共に他方の走査信号が供給される期間にベタ信号が供給される態様では、前記走査線駆動回路は、前記画像表示領域を、前記走査線に沿う分割線により分割して得られる複数の部分領域について、該複数の部分領域に対して交替に且つ各部分領域における前記複数の走査線に対して順番に、前記走査信号を供給し、前記画像信号供給回路は、前記複数の部分領域のうち対をなす二つの部分領域について、各部分領域における一の走査線に対して前記走査信号が供給された後、該一の走査線に再び前記走査信号が供給されるまでの間、前記二つの部分領域の一方における前記画素部に前記画像信号及び前記ベタ信号のうち一方を前記データ線を介して供給し、前記二つの部分領域の他方における前記画素部に、前記画像信号及び前記ベタ信号のうち他方を前記データ線を介して供給するように構成してもよい。
【００２８】
このように構成した場合、電気光学装置の駆動時、画像表示領域を分割して得られる複数の部分領域について、各部分領域における画素部は夫々以下に説明するように領域走査される。この際、複数の部分領域は夫々各画素部が画像信号に基づいて駆動される表示領域、及び各画素部がベタ信号として例えば黒信号に基づいて駆動され、ベタ画像として黒色画像が表示される黒色画像表示領域のいずれかとなり、且つ表示領域及び黒色画像表示領域となる二つの部分領域を対として、各画素部は駆動される。
【００２９】
以下に上述の領域走査を具体的に説明する。対をなす二つの部分領域について、各部分領域における一の走査線に対して走査信号が供給された後、該一の走査線に再び走査信号が供給されるまでの間、一方の部分領域の各走査線において走査信号が供給される期間（この期間を、以下において「走査信号供給期間」と称することもある）内に、画像信号供給回路より画像信号及びベタ信号のいずれか一方が複数のデータ線に供給される。そして、各画素部において、対応する走査線の走査信号供給期間に表示素子には対応するデータ線より画素スイッチング素子を介して画像信号及びベタ信号のいずれか一方が供給される。そして、表示素子は画像信号及びベタ信号のいずれか一方に基づいて画像表示を行う。
【００３０】
他方、各部分領域における一の走査線に対して走査信号が供給された後、該一の走査線に再び走査信号が供給されるまでの間、他方の部分領域における各走査線の走査信号供給期間内に、画像信号及びベタ信号のうち他方が画像信号供給回路より出力されて複数のデータ線に供給される。そして、各画素部において、対応する走査線の走査信号供給期間に表示素子には対応するデータ線より画素スイッチング素子を介して画像信号及びベタ信号のいずれか他方が供給される。そして、表示素子は画像信号及びベタ信号のいずれか他方に基づいて画像表示を行う。
【００３１】
ここで、走査線駆動回路から走査信号が各部分領域に対して交替に供給されると共に、各部分領域では、走査線の配列方向に沿って、例えば部分領域の上から下に向かって各走査線に走査信号が順次供給される。よって、電気光学装置の駆動時、対となる二つの部分領域について、一方の部分領域における一の走査線に対応する画素部が、書き込まれた画像信号及びベタ信号のいずれか一方に基づいて行う画像表示に対して相対的に先に若しくは後に、他方の部分領域において、一の走査線に対応する画素部が、書き込まれた画像信号及びベタ信号のいずれか他方に基づいて画像表示を行う。
【００３２】
また、対となる二つの部分領域について、各部分領域では、各走査線において連続する二つの走査信号供給期間の一方で、対応する画素部には画像信号及びベタ信号のいずれか一方が供給され、連続する二つの走査信号供給期間の他方で、対応する画素部には画像信号及びベタ信号のいずれか他方が供給される。従って、対となる二つの部分領域は、各部分領域における一の走査線に走査信号が供給される周期で、画像信号に基づいて画素部の駆動が行われる部分領域と、ベタ信号に基づいて画素部の駆動が行われる部分領域が交互に入れ替わることとなる。
【００３３】
よって、この態様によれば、例えば画像表示領域に動画像を表示する際、得られる表示画像を人間の目で観察すると、一方の部分領域において画像表示が行われた後、他方の部分領域においてベタ画像として黒色画像の画像表示が行われることにより、表示画面がリセットされたかのように見える。従って、この態様では、表示画像における残像感を低減することが可能となる。
【００３４】
加えて、データ線に供給する画像信号のフィールド周波数を変えないままで上述のように他方の部分領域に特定色として黒色の表示を行いつつ一方の部分領域に画像表示を行うと、通常通りのフィールド周波数で画像表示を行う場合と比較して、各画素部に供給される画像信号についてのフィールド周波数が半分程度になる。即ち、半分のフィールド画像が、黒表示によって失われることになる。このため、フィールド周波数を高める調整、例えばバッファを介して画像信号供給手段へ、画像信号を２倍のフィールド周波数で供給するような調整をしてもよい。即ち、例えば、“倍速駆動”してもよい。このように倍速駆動すれば、画像信号供給回路の出力信号の極性反転の周波数が複数の部分領域の数に応じて変化することとなり、極性反転に伴うフリッカの発生を視認され難いものとして抑制することが可能となる。よって、以上説明したこの態様では、より高品質な画像表示を行うことが可能となる。
【００３５】
この、各部分領域を領域走査する態様では、前記複数の部分領域は、前記分割線により、夫々平面的に見た面積が相互に略等しくなるように分割して得られる二つの部分領域であり、前記走査線駆動回路は、前記二つの部分領域に対して交互に且つ各部分領域における前記複数の走査線に対して線順次に前記走査信号を供給し、前記一方の部分領域における前記一の走査線に対し、前記他方の部分領域における前記一の走査線は、前記データ線に沿って前記画像表示領域の半分先に位置するように構成してもよい。
【００３６】
このように構成した場合、画像表示領域を二等分して得られる二つの部分領域のうち一方の部分領域における一の走査線に対応する画素部が書き込まれた画像信号に基づいて行う画像表示に先立って或いは後に、他方の部分領域における一の走査線に対応する画素部が書き込まれたベタ信号に基づいて特定色として例えば黒色の画像表示を行う。よって、例えば画像表示領域に動画像を表示する際、得られる表示画像における残像感をより効果的に低減することができ、表示画像の全面に渡って均一に、フリッカの低減された高品位の画像を表示可能となる。
【００３７】
本発明の電気光学装置の駆動回路の他の態様では、前記画像信号供給回路は、前記複数の画像部の全てに対する前記画像信号の供給と、前記複数の画像部の全てに対する前記ベタ信号の供給とを、交互に繰り返す。
【００３８】
この態様では、電気光学装置の駆動時、各走査線に対応する画素部が水平走査されることにより、画像表示領域に表示画像が表示されるのに先立って若しくは表示画像が表示された後に、各走査線に対応する画素部が水平走査されることにより、画像表示領域にベタ画像として例えば黒色画像が表示される。従って、画像表示領域には表示画像と黒色画像とが一画面毎に交互に表示される。この場合、上述した領域走査と同様、半分のフィールド画像が、黒表示によって失われることになるため“倍速駆動”を行うようにしてもよい。このように倍速駆動を行うようにすれば、各画素部には黒信号と交替に画像信号が供給されるので、表示画像上では、特に動画の場合、元のフレーム周波数で表示しているのと同程度のなめらかさが得られることになる。
【００３９】
本発明の電気光学装置は、上記課題を解決するために、上述した本発明の電気光学装置の駆動回路（但し、その各種態様も含む）を備える。
【００４０】
本発明の電気光学装置によれば、上述したような本発明の駆動回路によって電気光学装置を駆動することにより、高品質な画像表示を行うことが可能となる。
【００４１】
本発明の電子機器は上記課題を解決するために、上述した本発明の電気光学装置を具備する。
【００４２】
本発明の電子機器は、上述した本発明の電気光学装置を具備してなるので、高品質な画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた装置としてDLP（Degital  Light  Processing）等を実現することも可能である。
【００４３】
本発明の電気光学装置の駆動方法は上記課題を解決するために、基板上の画像表示領域に、複数のデータ線及び複数の走査線と、表示素子並びに前記データ線及び前記走査線に電気的に接続されると共に前記表示素子をスイッチング制御する片チャネル型の薄膜トランジスタを夫々含む複数の画素部とを備える電気光学装置を駆動するための駆動方法であって、前記複数の走査線に夫々走査信号を供給する第１工程と、 (ｉ)基準電位に対して正極性及び負極性のうち前記薄膜トランジスタがＮチャネル型であるか又はＰチャネル型であるかに応じて決定されるいずれかの極性を有すると共に前記画像表示領域に表示画像を表示するための画像信号と(ｉｉ)前記画像信号と異なる極性を有すると共に前記画像表示領域に特定色のベタ画像を表示するためのベタ信号とを、前記データ線を介して前記複数の画素部に対して夫々、所定周期で交替で供給する第２工程とを備える。
【００４４】
本発明の駆動方法によれば、上述した本発明の駆動回路と同様、ベタ画像と表示画像とを何らかの形で交互に表示させつつ、電気光学装置において表示される表示画像における縦クロストークを低減することが可能となる。このため、高品質な画像表示を行うことができる。
【００４５】
本発明の電気光学装置の駆動方法の一態様では、前記第２工程において、前記ベタ画像として黒色画像を表示するための黒信号を前記ベタ信号として供給する。
【００４６】
この態様によれば、黒色画像の表示方式に応じて一のデータ線の電位が黒色画像を表示する際に黒信号として安定でないが故に、仮に広義の縦クロストークが無視し得ない程に生じたとしても、黒色画像であるが故に、画素電極における多少の電圧の変化（降下又は上昇）によっては階調の変化は僅かであり、狭義の縦クロストークとして認識されることは殆どなくなる。加えてこの場合において、例えば、表示画像中に中間調の背景中に黒い点や黒いブロックが表示されている訳ではなく、基本的に時分割で例えばベタの黒色画像が表示されるので、表示画像中に狭義のクロストークが生じることは殆どない。
【００４７】
本発明の電気光学装置の駆動方法の他の態様では、前記薄膜トランジスタは、Ｎチャネル型であり、前記第２工程において、正極性の前記画像信号を供給すると共に、前記ベタ画像として黒色画像を表示するための、負極性の黒信号を前記ベタ信号として供給する。
【００４８】
この態様によれば、画素スイッチング素子としてＮチャネル型のＴＦＴを用いる場合、画像信号が画素スイッチング素子を介して画素部に供給されている期間において、各データ線に対応する画素部毎に縦クロストークの発生を抑制すると共に、黒信号が画素スイッチング素子を介して画素部に供給されている期間において、各データ線に対応する画素部毎に縦クロストークを発生し易い状態にすることが可能となる。また、Ｎチャネル型のＴＦＴを画素スイッチング用として用いれば、高速のスイッチング動作が可能である。
【００４９】
本発明の電気光学装置の駆動方法の他の態様では、前記第２工程において、前記複数の走査線に対し連続して供給される二つの走査信号のうち一方の走査信号が供給される期間に、前記一方の走査信号が供給される走査線に対応する前記画素部に、前記画像信号を前記データ線を介して供給し、前記二つの走査信号のうち他方の走査信号が供給される期間に、前記他方の走査信号が供給される走査線に対応する前記画素部に、前記ベタ信号を前記データ線を介して供給する。
【００５０】
この態様によれば、画像表示領域を分割して得られる複数の部分領域を夫々領域走査することにより、表示画像とベタ画像とを画像表示領域のうち部分的な領域別に表示すると共に、これらの領域を相互に入れ替えるように表示することが可能となる。
【００５１】
この、一方の走査信号が供給される期間に画像信号が供給されると共に他方の走査信号が供給される期間にベタ信号が供給される態様では、前記第１工程において、前記画像表示領域を、前記走査線に沿う分割線により分割して得られる複数の部分領域について、該複数の部分領域に対して交替に且つ各部分領域における前記複数の走査線に対して順番に、前記走査信号を供給し、前記第２工程において、前記複数の部分領域のうち対をなす二つの部分領域について、各部分領域における一の走査線に対して前記走査信号が供給された後、該一の走査線に再び前記走査信号が供給されるまでの間、前記二つの部分領域の一方における前記画素部に前記画像信号及び前記ベタ信号のうち一方を前記データ線を介して供給し、前記二つの部分領域の他方における前記画素部に、前記画像信号及び前記ベタ信号のうち他方を前記データ線を介して供給するように駆動してもよい。
【００５２】
このように駆動すれば、表示画像における残像感を低減することが可能となる。また、例えば倍速駆動することにより、画像信号供給回路の出力信号の極性反転の周波数が複数の部分領域の数に応じて変化することとなり、極性反転に伴うフリッカの発生を視認され難いものとして抑制することが可能となる。よって、以上説明したこの態様では、より高品質な画像表示を行うことが可能となる。
【００５３】
この、各部分領域を領域走査する態様では、前記第１工程において、前記複数の部分領域として、前記分割線により、夫々平面的に見た面積が相互に略等しくなるように分割して得られる二つの部分領域に対して交互に且つ各部分領域における前記複数の走査線に対して線順次に前記走査信号を供給し、前記一方の部分領域における前記一の走査線に対し、前記他方の部分領域における前記一の走査線は、前記データ線に沿って前記画像表示領域の半分先に位置する。
【００５４】
この態様では、例えば画像表示領域に動画像を表示する際、得られる表示画像における残像感をより効果的に低減することができ、表示画像の全面に渡って均一に、フリッカの低減された高品位の画像を表示可能となる。
【００５５】
本発明の電気光学装置の駆動方法の他の態様では、前記第２工程において、前記複数の画像部の全てに対する前記画像信号の供給と、前記複数の画像部の全てに対する前記ベタ信号の供給とを、交互に繰り返す。
【００５６】
この態様では、画像表示領域には、表示画像と、ベタ画像として例えば黒色画像とが一画面毎に交互に表示される。この場合、倍速駆動を行うようにすれば、各画素部には黒信号と交替に画像信号が供給されるので、表示画像上では、特に動画の場合、元のフレーム周波数で表示しているのと同程度のなめらかさが得られることになる。
【００５７】
本発明のこのような作用及び他の利得は次に説明する実施の形態から明らかにされる。
【発明を実施するための最良の形態】
【００５８】
以下では、本発明の実施の形態について図を参照しつつ説明する。以下の実施形態は、本発明の電気光学装置を液晶装置に適用したものである。
【００５９】
＜１：第１実施形態＞
先ず、本発明の電気光学装置に係る第１実施形態について、図１から図１２を参照して説明する。
【００６０】
＜１−１；電気光学装置の全体構成＞
本発明の電気光学装置の一例たる液晶装置における、電気光学パネルの一例としての液晶パネルの全体構成について、図１及び図２を参照して説明する。ここに、図１は、ＴＦＴアレイ基板をその上に形成された各構成要素と共に対向基板の側から見た液晶パネルの概略的な平面図であり、図２は、図１のＨ−Ｈ'断面図である。ここでは、駆動回路内蔵型のＴＦＴアクティブマトリクス駆動方式の液晶装置を例にとる。
【００６１】
図１及び図２において、本実施形態に係る液晶パネル１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００６２】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。
【００６３】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００６４】
画像表示領域１０ａの周辺に位置する周辺領域のうち、シール材５２が配置されたシール領域の外側に位置する領域には、データ線駆動回路１０１及び外部回路接続端子１０２がＴＦＴアレイ基板１０の一辺に沿って設けられている。また、走査線駆動回路１０４は、この一辺に隣接する２辺のいずれかに沿い、且つ、前記額縁遮光膜５３に覆われるようにして設けられている。尚、走査線駆動回路１０４を、データ線駆動回路１０１及び外部回路接続端子１０２が設けられたＴＦＴアレイ基板１０の一辺に隣接する２辺に沿って設けるようにしてもよい。この場合、ＴＦＴアレイ基板１０の残る一辺に沿って設けられた複数の配線によって、二つの走査線駆動回路１０４は互いに接続されるようにする。
【００６５】
また、対向基板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。
【００６６】
図２において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。また、液晶層５０は、例えば一種又は数種類のネマティック液晶を混合した液晶からなり、これら一対の配向膜間で、所定の配向状態をとる。
【００６７】
なお、図１及び図２には図示しないが、ＴＦＴアレイ基板１０上には、データ線駆動回路１０１や走査線駆動回路１０４等に加えて、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００６８】
＜１−２；電気光学装置の全体構成＞
液晶装置の全体構成について図３及び図４を参照して説明する。ここに、図３は、液晶装置の全体構成を示すブロック図であり、図４は、液晶パネルの電気的な構成を示すブロック図である。
【００６９】
図３に示すように、液晶装置は、主要部として、液晶パネル１００、画像信号供給回路３００、第１フレームメモリ６２及び第２フレームメモリ６３、タイミング制御回路４００、並びに電源回路７００を備える。
【００７０】
タイミング制御回路４００は、各部で使用される各種タイミング信号を出力するように構成されている。タイミング制御回路４００の一部であるタイミング信号出力手段により、最小単位のクロックであり各画素を走査するためのドットクロックが作成され、このドットクロックに基づいて、Ｙクロック信号ＣＬＹ、反転Ｙクロック信号ＣＬＹｉｎｖ、Ｘクロック信号ＣＬＸ、反転Ｘクロック信号ＸＣＬｉｎｖ、ＹスタートパルスＤＹ及びＸスタートパルスＤＸが生成される。更に、タイミング制御回路４００において、後述する走査信号の出力タイミングを決定する２種のイネーブル信号ＥＮＢ１及びＥＮＢ２が生成される。
【００７１】
また、本実施形態では、本発明に係る広義の「画像信号供給回路」の主要部には、図３に示す画像信号供給回路３００並びに第１及び第２フレームメモリ６２及び６３に加えてデータ線駆動回路１０１が含まれる。画像信号供給回路３００には、外部から入力画像データＤＡＴＡが入力される。画像信号供給回路３００は、入力された画像データＤＡＴＡに基づいて、２種のフィールドデータを生成し、後述するように一の走査線に対して走査信号が供給される周期で、生成した２種のフィールドデータを第１フレームメモリ６２及び第２フレームメモリ６３の一方に一時期的に蓄えると共に、他方からは蓄積した１種のフィールドデータを読み出す。尚、２種のフィールドデータには、一つの表示画像を表示するためのデータ及び一つの黒色画像を表示するためのデータが含まれている。
【００７２】
そして、画像信号供給回路３００は、読み出した１種のフィールドデータに対して所定の処理を行う。この所定の処理の一例として、画像信号供給回路３００では、例えば１種のフィールドデータをシリアル−パラレル変換して、Ｎ相、例えば６相（Ｎ＝６）の画像信号ＶＩＤ１〜ＶＩＤ６を生成することがある。更に、画像信号供給回路３００は、生成した画像信号ＶＩＤｋ（但し、ｋ＝１、２、３、・・・、６）の電圧を、所定の基準電位ｖ０に対して正極性及び負極性に反転した後、画像信号ＶＩＤｋを出力する。尚、ここでいう画像信号ＶＩＤｋには、後述するように、本発明に係る狭義の「画像信号」として表示画像を表示するための第１表示電位ｖ１（＋）を有するもの、及び本発明に係る「黒信号」として黒色画像を表示するための第２表示電位ｖｂ（−）を有するものの両者が含まれる。
【００７３】
また、電源回路７００は、所定の共通電位ＬＣＣの共通電源を、図２に示す対向電極２１に供給する。本実施形態において、対向電極２１は、図２に示す対向基板２０の下側に、複数の画素電極９ａと対向するように形成されている。
【００７４】
次に、液晶パネル１００における電気的な構成について説明する。
【００７５】
図２に示すように、液晶パネル１００には、そのＴＦＴアレイ基板１０の周辺領域に、走査線駆動回路１０４及びデータ線駆動回路１０１を含む内部駆動回路が設けられている。
【００７６】
走査線駆動回路１０４は、具体的には後述するが、Ｙクロック信号ＣＬＹ、反転Ｙクロック信号ＣＬＹｉｎｖ 、及びＹスタートパルスＤＹが供給されることによって、基本的な線順次の水平走査が可能となっている。更に、走査線駆動回路１０４は、供給されたイネーブル信号ＥＮＢ１及びＥＮＢ２に基づくタイミングで、後述するような順序で走査信号Ｇ１、Ｇ２、・・・、Ｇｍを出力する。
【００７７】
本実施形態では、データ線駆動回路１０１の主要部には、サンプリング信号供給回路１０１ａ、及びサンプリング回路１０１ｂが含まれる。サンプリング信号供給回路１０１ａには、Ｘクロック信号ＣＬＸ、反転Ｘクロック信号ＣＬＸｉｎｖ、及びＸスタートパルスＤＸが供給される。サンプリング信号供給回路１０１ａは、ＸスタートパルスＤＸが入力されると、Ｘクロック信号ＣＬＸ及び反転Ｘクロック信号ＸＣＬＸｉｎｖに基づくタイミングで、サンプリング信号Ｓ１、・・・、Ｓｎを順次生成して出力する。
【００７８】
サンプリング回路１０１ｂは、Ｐチャネル型又はＮチャネル型の片チャネル型ＴＦＴ若しくは相補型のＴＦＴから構成されたサンプリングスイッチ２０２を複数備える。
【００７９】
液晶パネル１００は更に、そのＴＦＴアレイ基板の中央を占める画像表示領域１０ａに、縦横に配線されたデータ線１１４及び走査線１１２を備え、それらの交点に対応する各画素部７０に、マトリクス状に配列された液晶素子１１８の画素電極９ａ及び画素電極９ａをスイッチング制御する画素スイッチング素子として、片チャネル型のＴＦＴ１１６を備える。尚、本実施形態では特に、走査線１１２の総本数をｍ本（但し、ｍは２以上の自然数）とし、データ線１１４の総本数をｎ本（但し、ｎは２以上の自然数）として説明する。また、ＴＦＴ１１６はＮチャネル型のトランジスタを用いて構成されるものとする。
【００８０】
前述したように、例えば、６相にシリアル−パラレル展開された画像信号ＶＩＤ１〜ＶＩＤ６は夫々、画像信号線１７１を介して液晶パネル１００に供給される。
【００８１】
サンプリング回路１０１ｂにおいて、Ｎ個、本実施形態では６個のサンプリングスイッチ２０２を１群とし、１群に属するサンプリングスイッチ２０２には夫々、サンプリング信号Ｓｉ（ｉ＝１、２、・・・、ｎ）が入力される。１群に属するサンプリングスイッチ２０２は、Ｎ本、本実施形態では６本のデータ線１１４を１群とし、１群に属するデータ線１１４に対し、サンプリング信号Ｓｉに応じて、画像信号ＶＩＤｋをサンプリングして供給する。即ち、１群に属するサンプリングスイッチ２０２を介して、１群に属するデータ線１１４と画像信号線１７１が電気的に接続される。従って、本実施形態では、ｎ本のデータ線１１４を１群に属するデータ線１１４毎に駆動するため、駆動周波数が抑えられる。
【００８２】
図４中、一つの画素部７０の構成に着目すれば、ＴＦＴ１１６のソース電極には、画像信号ＶＩＤｋが供給されるデータ線１１４が電気的に接続されている一方、ＴＦＴ１１６のゲート電極には、走査信号Ｇｊ（但し、ｊ＝１、２、３、・・・、ｍ）が供給される走査線１１２が電気的に接続されるとともに、ＴＦＴ１１６のドレイン電極には、液晶素子１１８の画素電極９ａが接続されている。ここで、各画素部７０において、液晶素子１１８は、画素電極９ａと対向電極２１との間に液晶を挟持してなる。従って、各画素部７０は、走査線１１２とデータ線１１４との各交点に対応して、マトリクス状に配列されることになる。
【００８３】
液晶素子１１８の画素電極９ａには、ＴＦＴ１１６を一定期間だけそのスイッチを閉じることにより、データ線１１４より画像信号ＶＩＤｋが所定のタイミングで供給される。これにより、液晶素子１１８には、画素電極９ａ及び対向電極２１の各々の電位によって規定される印加電圧が印加される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは画像信号ＶＩＤｋに応じたコントラストをもつ光が出射する。
【００８４】
ここで、保持された画像信号がリークするのを防ぐために、蓄積容量１１９が、液晶素子１１８と並列に付加されている。例えば、画素電極１１８の電圧は、ソース電圧が印加された時間よりも３桁も長い時間だけ蓄積容量１１９により保持されるので、保持特性が改善される結果、高コントラスト比が実現されることとなる。
【００８５】
＜１−３；電気光学装置の動作＞
次に、図１から図４に加えて、図５から図１１を参照して液晶装置の動作について説明する。
【００８６】
先ず、図５を参照して、図１又は図４に示す走査線駆動回路１０４の詳細な構成について説明する。図５には、走査線駆動回路１０４の構成の一例を示してある。
【００８７】
ここで、以下では、説明を簡単にするため走査線１１２の総本数ｍ＝４とし、且つ、図５に示すように画像表示領域１０ａを走査線１１２に沿う分割線６００により二等分して得られる第１部分領域１０ａａ及び第２部分領域１０ａｂについて領域走査する場合について説明する。
【００８８】
図５において、走査線駆動回路１０４の主要部には、Ｙクロック信号ＣＬＹ、反転Ｙクロック信号ＣＬＹｉｎｖ、及びＹスタートパルスＤＹ が入力されるＹ側シフトレジスタ１０４ａと、４本の走査線１１２に対応する４つの論理回路からなる出力制御部１０４ｂとが含まれる。１つの論理回路は、例えばＮＡＮＤ回路６７及びＮＯＴ回路６８を含み、ＮＡＮＤ回路６７には、Ｙ側シフトレジスタ６６からの一の出力信号及び２種のイネーブル信号ＥＮＢ１又はＥＮＢ２のいずれか一方が入力される。また、各ＮＡＮＤ回路６７の出力信号は、ＮＯＴ回路６８を介して、対応する走査線１１２に走査信号Ｇ１、Ｇ２、Ｇ３、Ｇ４として出力される。
【００８９】
次に、図１から図５に加えて図６から図１０を参照して、第１部分領域１０ａａ及び第２部分領域１０ａｂに対して行われる領域走査について詳細に説明する。図６は、画像信号供給回路３００における画像信号ＶＩＤｋの生成について説明するための説明図であり、図７は、走査線駆動回路１０４の動作について説明するためのタイミングチャートであり、図８は、各データ線１１４及び各走査線１１２を駆動するための各種信号の経時的変化を示すタイミングチャートである。更に、図９は、画素スイッチング素子としてのＴＦＴ１１６の特性を、横軸にゲート及びソース間電圧（Ｖｇｓ）の値をとり、縦軸にソース及びドレイン間電流（Ｉｓｄ）の値をとって示す図であって、図１０（ａ）及び図１０（ｂ）には、本実施形態における領域走査を概念的に説明するための説明図を示してある。
【００９０】
図６において、画像信号供給回路３００は、後述する第１及び第２部分領域１０ａａ及び１０ａｂの各々の第１番目の走査線１１２に対して走査信号Ｇｊが供給された後、該第１番目の走査線１１２に再び走査信号Ｇｊが供給されるまでの間（以下、本実施形態ではこの期間を１垂直走査期間と称することもある。）、第１部分領域１０ａａにおける各画素部７０で当該第１部分領域１０ａａに表示画像を表示するための画像表示が行われると共に、第２部分領域１０ａｂにおける各画素部７０で当該第２部分領域１０ａｂに黒色画像を表示するための黒表示が行われるように、画像信号ＶＩＤｋの電圧を調整する。また、画像信号供給回路３００は、第１部分領域１０ａａ及び第２部分領域１０ａｂが、上述した第１番目の走査線１１２に対して走査信号Ｇｊが供給される周期で、即ち１垂直走査期間（１フレーム期間）毎に、画像信号ＶＩＤｋに基づいて交互に入れ替わるように、画像信号ＶＩＤｋを生成する。
【００９１】
例えば、図６に示すように、画像信号供給回路３００は、１種のフィールドデータに基づいて、１／２フィールド毎に画像信号ＶＩＤｋを生成する。この画像信号ＶＩＤｋは、１つの走査信号供給期間毎（即ち１水平走査期間毎）に、その電圧の極性が所定の基準電位ｖ０に対して反転されると共に、第１表示電位ｖ１（＋）若しく第２表示電位ｖｂ（−）と基準電位ｖ０とによって規定される電圧に調整される。本実施形態では、第１表示電位ｖ１（＋）と基準電位ｖ０とによって規定される表示電圧は正極性の電圧として生成され、第２表示電位ｖｂ（−）と基準電位ｖ０とによって規定される黒表示電圧は負極性の電圧として生成される。そして、１垂直走査期間では、１走査信号供給期間毎に、交互に表示電圧の画像信号ＶＩＤｋ及び黒表示電圧の画像信号ＶＩＤｋが、画像信号供給回路３００から出力される。
【００９２】
また、１／２フィールド期間は１垂直走査期間（１フレーム期間）と同等の長さを有している。図６において、時間軸上で互いに隣接する２つの垂直走査期間のうち、一方の垂直走査期間では、画像信号ＶＩＤｋが表示電圧に調整される一の走査信号供給期間が、画像信号ＶＩＤｋが黒表示電圧に調整される他の走査信号供給期間に対して相対的に先に来るように、画像信号ＶＩＤｋは生成される。これに対して、他方の垂直走査期間では、画像信号ＶＩＤｋが表示電圧に調整される一の走査信号供給期間が、画像信号ＶＩＤｋが黒表示電圧に調整される他の走査信号供給期間に対して相対的に後に来るように、画像信号ＶＩＤｋが生成される。
【００９３】
次に、１垂直走査期間における領域走査について図７及び図８を参照して説明する。
【００９４】
１垂直走査期間では、図５に示す走査線駆動回路１０４から、走査信号Ｇ１、Ｇ２、Ｇ３、Ｇ４が第１部分領域１０ａａ及び第２部分領域１０ａｂに対して交替に供給されると共に、第１部分領域１０ａａ及び第２部分領域１０ａｂでは夫々、走査線１１２の配列方向に沿って、当該部分領域１０ａａ若しくは１０ａｂの上から下に向かって各走査線１１２に走査信号Ｇ１及びＧ２若しくはＧ３及びＧ４が順次供給される。
【００９５】
図７に示すように、Ｙ側シフトレジスタ６６からのスタートパルスＳＲ１〜ＳＲ４は、第１部分領域１０ａａ及び第２部分領域１０ａｂをあたかも同時に水平走査するように、夫々の走査線１１２に対して同じタイミングで出力される。即ち、第１部分領域１０ａａ及び第２部分領域１０ａｂにおいて夫々第１番目に走査信号Ｇｊが供給される走査線１１２に対応するスタートパルスＳＲ１、ＳＲ３と、第２番目に走査信号Ｇｊが供給される走査線１１２に対応するスタートパルスＳＲ２、ＳＲ４とは、２水平走査期間毎に交番的に出力される。一方、イネーブル信号ＥＮＢ１，ＥＮＢ２は夫々、１水平走査期間毎に交互にローレベルからハイレベルに立ち上がる。よって、スタートパルスＳＲ１〜ＳＲ４のうち、イネーブル信号ＥＮＢ１，ＥＮＢ２のいずれかの立ち上がりタイミング時に出力された一つが論理回路において選択され、走査信号Ｇｊとして走査線１１２に出力される。その結果、図７に示すように、走査信号Ｇ１〜Ｇ４が、走査線駆動回路１０４から順次出力されることとなる。
【００９６】
図８において、時刻ｔ０に１垂直走査期間が開始されると、第１部分領域１０ａａにおいて、走査線駆動回路１０４より当該第１部分領域１０ａａの第１番目の走査信号Ｇ１が対応する走査線１１２に供給され、第１番目の走査線１１２の走査信号供給期間が開始される。尚、第１番目の走査信号Ｇ１がハイレベルとなる時刻ｔ０から時刻ｔ３までの期間が、第１番目の走査線１１２の走査信号供給期間となる。
【００９７】
第１番目の走査線１１２の走査信号供給期間内であって時刻ｔ１から時刻ｔ２までの画像信号供給期間に、表示電圧に調整された画像信号ＶＩＤｋが画像信号供給回路３００から供給される。また、画像信号供給期間に、シフトレジスタ出力であるサンプリング信号Ｓ１、Ｓ２，・・・、Ｓｎが順にサンプリング信号供給回路１０１ａから供給され、サンプリング回路１０１ｂにおいて一群に属するサンプリングスイッチ２０２毎に順にオン状態となる。この際、シリアル−パラレル展開が採用されていると、１群に属するサンプリングスイッチ２０２は、まとめてオン状態とされる。本実施形態では特に、１つの連続した画像信号供給期間（例えば、図８における、時刻ｔ１〜ｔ２の期間）に、１ライン分の画像信号ＶＩＤｋに対応して、サンプリング信号Ｓ１、・・・、Ｓｎが出力される。また、別の１つの連続した画像信号供給期間（例えば、図８における、時刻ｔ４〜ｔ５の期間）に、別の１ライン分の画像信号ＶＩＤｋに対応して、サンプリング信号Ｓ１、・・・、Ｓｎが出力される。いずれにせよ、画像信号供給期間にのみ、画像信号ＶＩＤｋのサンプリングが行なわれて、データ線１１４への画像信号ＶＩＤｋの供給が行なわれる。
【００９８】
そして、表示電圧の画像信号ＶＩＤｋは、オン状態のサンプリングスイッチ２０２を介してデータ線１１４に供給され、該データ線１１４を介して第１番目の走査線１１２に対応する画素部７０に供給される。このように、時刻ｔ１から時刻ｔ２までの期間に、第１番目の走査線１１２に対応する画素部７０には、表示画像を表示するための画像信号ＶＩＤｋが書き込まれる。
【００９９】
その後、時刻ｔ３に、第１番目の走査線１１２の走査信号供給期間が終了すると、第２部分領域１０ａｂにおいて、走査線駆動回路１０４より当該第２部分領域１０ａｂの第１番目（走査線駆動回路１０４からの出力順序によれば第２番目）の走査信号Ｇ３が対応する走査線１１２に供給され、第２番目の走査線１１２の走査信号供給期間が開始される。
【０１００】
第２番目の走査線１１２の走査信号供給期間内において、時刻ｔ４から時刻ｔ５までの画像信号供給期間、即ち狭義な意味では「黒信号供給期間」に、黒表示電圧の画像信号ＶＩＤｋが画像信号回路３００から供給される。そして、画像信号ＶＩＤｋは、サンプリング信号供給回路１０１ａから供給されたサンプリング信号Ｓ１、Ｓ２、・・・、Ｓｎに応じて、１群に属するサンプリングスイッチ２０２毎に順にオン状態となった各サンプリングスイッチ２０２を介して、各データ線１１４に供給される。更に、画像信号ＶＩＤｋは各データ線１１４を介して第２番目の走査線１１２に対応する画素部７０に供給される。このように、時刻ｔ４から時刻ｔ５までの期間に、第２番目の走査線１１２に対応する画素部７０には、黒色画像を表示するための画像信号ＶＩＤｋが書き込まれる。
【０１０１】
その後、時刻ｔ６に、第２番目の走査線１１２の走査信号供給期間が終了すると、第１部分領域１０ａａにおいて、走査線駆動回路１０４より当該第１部分領域１０ａａの第２番目（走査線駆動回路１０４からの出力順序によれば第３番目）の走査信号Ｇ２が対応する走査線１１２に供給され、第３番目の走査線１１２の走査信号供給期間が開始される。
【０１０２】
第３番目の走査線１１２の走査信号供給期間において、時刻ｔ７から時刻８までの画像信号供給期間に、第１番目の走査線１１２に対応する画素部７０と同様に、第３番目の走査線１１２に対応する画素部７０に表示画像を表示するための画像信号ＶＩＤｋが書き込まれる。
【０１０３】
続いて、時刻ｔ９に、第３番目の走査線１１２の走査信号供給期間が終了すると、第２部分領域１０ａｂにおいて、走査線駆動回路１０４より当該第２部分領域１０ａｂの第２番目（走査線駆動回路１０４からの出力順序によれば第４番目）の走査信号Ｇ４が対応する走査線１１２に供給され、第４番目の走査線１１２の走査信号供給期間が開始される。
【０１０４】
第４番目の走査線１１２の走査信号供給期間において、時刻ｔ１０から時刻１１までの画像信号供給期間に、第２番目の走査線１１２に対応する画素部７０と同様に、第４番目の走査線１１２に対応する画素部７０に黒色画像を表示するための画像信号ＶＩＤｋが書き込まれる。
【０１０５】
その後、時刻ｔ１２に１垂直走査期間が終了する。以上説明したように、１垂直期間では、第２番目及び第４番目の走査線１１２即ち第２部分領域１０ａｂの各走査線１１２に対応する画素部７０に、走査信号供給期間に黒色画像を表示するための画像信号ＶＩＤｋが書き込まれる。この際、各データ線１１４に画像信号ＶＩＤｋが供給されることにより、各データ線１１４に対応する画素部７０において、ＴＦＴ１１６のゲート及びソース間電圧は負極性の黒表示電圧（図９にはＶｂ１として示してある）となる。これにより、図９に示すＮチャネル型のＴＦＴ１１６の特性によれば、ゲート及びソース間電圧（Ｖｇｓ）がＴＦＴ１１６の閾値電圧に近い値となるため、ＴＦＴ１１６の特性が変動し易くなる。従って、第２部分領域１０ａｂの各走査線１１２の走査信号供給期間において、各データ線１１４に対応する画素部７０では、ＴＦＴ１１６で光リーク電流等のオフ電流が発生することにより、縦クロストークが発生し易い状態となる。しかしながら、たとえ縦クロストークが発生しても、画像表示領域１０ａに表示された画像にはその影響が視認され難いものとすることが可能となる。
【０１０６】
他方、第１番目及び第３番目の走査線１１２即ち第１部分領域１０ａａの各走査線１１２に対応する画素部７０には、走査信号供給期間に表示画像を表示するための画像信号ＶＩＤｋが書き込まれる。この画像信号ＶＩＤｋは、黒表示電圧の極性と異なる正極性の表示電圧を有する。よって、第１部分領域１０ａａの各走査線１１２の走査信号供給期間に、各データ線１１４に対応する画素部７０における光リーク電流等のオフ電流を抑制することが可能となる。従って、第１部分領域１０ａａの各走査線１１２の走査信号供給期間において、縦クロストークが発生するのを抑制することができる。従って、本実施形態では、画像表示領域１０ａに表示される表示画像における縦クロストークを低減することが可能となる。
【０１０７】
また、図８を参照して説明した領域走査によれば、図１０（ａ）に示すように、第１部分領域１０ａａ一の走査線１１２に対応する画素部７０によって表示画像を表示するための画像表示が行われた後、該一の走査線１１２に対して画像表示領域１０ａの半分先に位置する、第２部分領域１０ａｂの一の走査線１１２に対応する画素部７０によって黒色画像を表示するための画像表示が行われる。また、第１部分領域１０ａａ及び第２部分領域１０ａｂでは夫々、各走査線１１２に対応する画素部７０は、当該部分領域１０ａａ若しくは１０ａｂの上から下に向かって、線順次に駆動される。
【０１０８】
そして、時刻ｔ１２に１垂直走査期間が終了すると、これに続く他の１垂直走査期間では、画像信号供給回路３００において既に説明したように、画像信号ＶＩＤｋを表示電圧と黒表示電圧とに調整する順序が、図８を参照して説明した１垂直走査期間と逆転する。従って、図１０（ｂ）に示すように、第１部分領域１０ａａと第２部分領域１０ａｂとが入れ替わり、夫々、各走査線１１２に対応する画素部７０は、当該部分領域１０ａａ若しくは１０ａｂの上から下に向かって、線順次に駆動される。
【０１０９】
ここで、図１１（ａ）には、本実施形態において画像表示領域１０ａに動画像を表示した場合に視認される表示画面を模式的に示してあり、図１１（ｂ）には、比較例において画像表示領域１０ａに動画像を表示した場合に視認される表示画面を模式的に示してある。
【０１１０】
本実施形態では、図１１（ａ）に示すように、画像表示領域１０ａに矢印Ａの方向に向かって進行する物体９０を表示した場合、得られる表示画像を人間の目で観察すると、例えば第１部分領域１０ａａにおいて画像表示が行われた後、第２部分領域１０ａｂにおいて黒色の画像表示が行われることにより、表示画面がリセットされたかのように見える。よって、本実施形態では、画像表示領域１０ａにおいて、残像が視認され難い画像表示を行うことが可能となる。
【０１１１】
他方、本実施形態による領域走査を行わないで、例えば、既に説明した従来の駆動により画像表示領域１０ａに図１１（ａ）と同様の動画像を表示する比較例では、図１１（ｂ）に示すように、矢印Ａの方向に向かって移動する物体Ａが尾を引くような残像Ｂが視認される。
【０１１２】
このように本実施形態では、画像表示領域１０ａに表示された表示画像における残像感を低減することが可能となる。また、１フィールド期間即ち２垂直走査期間毎に、一つの表示画像及び一つの黒色画像が表示される。即ち、本実施形態によれば、走査線駆動回路１０４及びデータ線駆動回路１０１は倍速駆動されることになる。従って、このような倍速駆動を行わない場合と比較して、画像信号ＶＩＤｋの極性反転の周波数を２倍にすることができる。よって、画像信号ＶＩＤｋの極性反転に伴うフリッカの発生を視認され難いものとして抑制することが可能となる。その結果、以上説明したような本実施形態によれば、液晶パネル１００において高品質な画像表示を行うことができる。
【０１１３】
尚、本実施形態では、画像表示領域１０ａを二以上の複数の分割線によって分割することによって得られる複数の部分領域を夫々、表示画像を表示する領域及び黒色画像を表示する領域のいずれかとし、且つ表示画像を表示する領域及び黒色画像を表示する領域となる二つの部分領域を対として、上述した手順と同様にして、領域走査を行ってもよい。
【０１１４】
加えて、各部分領域内における走査線を選択する順番、即ち走査順についても、図９に示した如き上から線順次でもよいし、これとは異なる所定順序、例えば下から線順次や途中から線順次など、各種の走査順を採用可能である。何れの場合にも、予め走査順が決まっている限り、これに応じてデータ線に画像信号を供給すれば特に問題は生じない。但し、画像信号供給回路（図３参照）における信号処理の複雑化を避けることや、走査線に係る配線（図５）の複雑化を避けることを考えれば、図９に示した如き走査順が望ましい。
【０１１５】
＜１−４；変形例＞
本実施形態では、画素スイッチング素子としてＮチャネル型のＴＦＴ１１６の代わりにＰチャネル型のＴＦＴ１１６を用いるようにしてもよい。図１２に、Ｐチャネル型のＴＦＴ１１６の特性を、図１１と同様に示してある。図１２に示すように、Ｐチャネル型のＴＦＴ１１６の特性によれば、ゲート及びソース間電圧が正極性から負極性に変化するときに、ＴＦＴ１１６の特性が変動し易い。従って、この場合、Ｎチャネル型のＴＦＴ１１６を用いる場合と比較して、画像信号ＶＩＤｋの電圧は、黒表示電圧を正極性とし、表示電圧を負極性として画像信号供給回路３００において調整すればよい。このようにすれば、上述した本実施形態と同様、表示画像における縦クロストークを低減することが可能となる。
【０１１６】
＜２；第２実施形態＞
次に、本発明の電気光学装置に係る第２実施形態について説明する。第２実施形態において、電気光学装置としての液晶装置は、第１実施形態と比較して、画像信号供給回路の動作と、走査線駆動回路の構成及び動作が異なる。よって、以下では、液晶装置の構成及び動作について、第１実施形態と異なる点についてのみ、図１３及び図１４を参照して説明する。尚、第１実施形態と同様の構成については同一の符号を付して示し、重複する説明は省略する。
【０１１７】
本実施形態では、走査線駆動回路の主要部は、図５に示す走査線駆動回路１０４と異なりシフトレジスタを含む構成となっている。即ち、走査線駆動回路は、ＹスタートパルスＤＹが入力されると、Ｙクロック信号ＣＬＹ及び反転Ｙクロック信号ＣＬＹｉｎｖに基づくタイミングで、走査信号Ｇ１、・・・、Ｇｍを順次生成して出力する。
【０１１８】
次に、図１３及び図１４を参照して、第２実施形態における液晶装置の動作について、走査線１１２の総本数ｍ＝４として説明する。図１３は、第２実施形態における液晶装置の動作に係る各種信号の経時的変化を示すタイミングチャートであって、図１４（ａ）及び図１４（ｂ）は、各画素部の水平走査を概念的に説明するための説明図を示してある。尚、第２実施形態は、第１実施形態と液晶装置の構成及び液晶パネルの電気的な主要な構成は同様であるため、この構成について以下の説明では図３及び図４を参照する。また、以下では、ＴＦＴ１１６はＮチャネル型のトランジスタを用いて構成されるものとする。
【０１１９】
第２実施形態では、図１３に示すように、画像信号供給回路３００は、時間軸上で互いに隣接する２つの垂直走査期間即ち１フィールド期間について、一方の垂直走査期間即ち１／２フィールド期間には画像表示領域１０ａに一つの表示画像が表示されるように画像信号ＶＩＤｋを生成し、他方の垂直走査期間即ち１／２フィールド期間には画像表示領域１０ａに一つの黒色画像が表示されるように画像信号ＶＩＤｋを生成する。よって、一垂直走査期間毎に、画像信号ＶＩＤｋの電圧は極性反転されると共に、２つの垂直走査期間のうち一方の垂直走査期間では、画像信号ＶＩＤｋは各走査線１１２の走査信号供給期間内に正極性の表示電圧に調整され、２つの垂直走査期間のうち他方の垂直走査期間では、画像信号ＶＩＤｋは各走査線１１２の走査信号供給期間内に負極性の黒表示電圧に調整される。
【０１２０】
図１３を参照して、１フィールド期間即ち時間的に連続する２つの垂直走査期間における液晶装置の動作について具体的に説明する。図１３において、時刻ｔ２０に、２つの垂直走査期間のうち時間軸上で相対的に先に位置する１垂直走査期間が開始されると、走査線駆動回路より第１番目の走査信号Ｇ１が対応する走査線１１２に供給され、第１番目の走査線１１２の走査信号供給期間が開始される。尚、第１番目の走査信号Ｇ１がハイレベルとなる時刻ｔ２０から時刻ｔ２３までの期間が、第１番目の走査線１１２の走査信号供給期間となる。
【０１２１】
第１番目の走査線１１２の走査信号供給期間内であって時刻ｔ２１から時刻ｔ２２までの画像信号供給期間に、画像信号ＶＩＤｋとして、第１番目の走査線１１２に対応する画素部７０において画像表示を行うための表示電圧に調整された画像信号Ｄ１が画像信号供給回路３００から供給される。そして、画像信号供給期間に、サンプリング信号供給回路１０１ａから供給されるサンプリング信号Ｓ１、Ｓ２，・・・、Ｓｎに応じて、サンプリング回路１０１ｂにおいて一群に属するサンプリングスイッチ２０２毎に順にオン状態となる。画像信号供給回路３００から供給された画像信号Ｄ１は、オン状態のサンプリングスイッチ２０２を介してデータ線１１４に供給され、該データ線１１４を介して第１番目の走査線１１２に対応する画素部７０に供給される。
【０１２２】
その後、第２番目の走査信号Ｇ２が走査線駆動回路から供給されることにより、時刻ｔ２３から時刻ｔ２６までの期間が、第２番目の走査線１１２の走査信号供給期間となる。第２番目の走査信号供給期間内に時刻ｔ２４から時刻ｔ２５までの画像信号供給期間には、画像信号ＶＩＤｋとして、第２番目の走査線１１２に対応する画素部７０において画像表示を行うための表示電圧に調整された画像信号Ｄ２が画像信号供給回路３００から供給される。そして、画像信号Ｄ２は、第１番目の走査線１１２と同様、第２番目の走査線１１２に対応する画素部７０に供給される。
【０１２３】
その後、第３番目の走査信号Ｇ３が走査線駆動回路から供給されることにより、時刻ｔ２６から時刻ｔ２９までの期間が、第３番目の走査線１１２の走査信号供給期間となる。そして、第３番目の走査信号供給期間内に時刻ｔ２７から時刻ｔ２８までの画像信号供給期間では、画像信号ＶＩＤｋとして、第３番目の走査線１１２に対応する画素部７０において画像表示を行うための表示電圧に調整された画像信号Ｄ３が、第１番目及び第２番目の走査線１１２と同様、第３番目の走査線１１２に対応する画素部７０に供給される。
【０１２４】
また、第４番目の走査信号Ｇ４が走査線駆動回路から供給されることにより、時刻ｔ２９から時刻ｔ３２までの期間が、第４番目の走査線１１２の走査信号供給期間となる。そして、第４番目の走査信号供給期間内に時刻ｔ３０から時刻ｔ３１までの画像信号供給期間では、画像信号ＶＩＤｋとして、第４番目の走査線１１２に対応する画素部７０において画像表示を行うための表示電圧に調整された画像信号Ｄ４が、第１番目から第３番目の走査線１１２と同様、第４番目の走査線１１２に対応する画素部７０に供給される。
【０１２５】
続いて、時刻ｔ３２に、２つの垂直走査期間のうち時間軸上で相対的に後に位置する１垂直走査期間が開始される。この１垂直走査期間即ち時刻ｔ３２から時刻ｔ４４までの期間に、例えば図１３に示すように、画像信号供給回路３００からは連続して画像信号ＶＩＤｋとして一つの黒信号Ｄｂが供給される。また、この１垂直走査期間において、第１番目から第４番目までの各走査線１１２に対応する画素部７０には、概ね時刻ｔ２０から時刻ｔ３２までの先の１垂直走査期間と同様に画像信号ＶＩＤｋとして黒信号Ｄｂが書き込まれる。
【０１２６】
より具体的には、時刻ｔ３２から時刻ｔ３５までの第１番目の走査線１１２の走査信号供給期間内において、時刻ｔ３３から時刻ｔ３４までの画像信号供給期間即ち狭義な意味での「黒信号供給期間」に、黒信号Ｄｂが、第１番目の走査線１１２に対応する画素部７０に供給される。そして、第１番目の走査線１１２と同様に、第２番目の走査線１１２に対応する画素部７０には、時刻ｔ３５から時刻ｔ３８までの第２番目の走査線１１２の走査信号供給期間内において、時刻ｔ３６から時刻ｔ３７までの画像信号供給期間に黒信号Ｄｂが供給され、第３番目の走査線１１２に対応する画素部７０には、時刻ｔ３８から時刻ｔ４１までの第３番目の走査線１１２の走査信号供給期間内において、時刻ｔ３９から時刻ｔ４０までの画像信号供給期間に黒信号Ｄｂが供給され、第４番目の走査線１１２に対応する画素部７０には、時刻ｔ４１から時刻ｔ４４までの第４番目の走査線１１２の走査信号供給期間内において、時刻ｔ４２から時刻ｔ４３までの画像信号供給期間に黒信号Ｄｂが供給される。
【０１２７】
図１３を参照して説明した液晶装置の動作によれば、図１４（ａ）及び図１４（ｂ）に示すように、画像表示領域１０ａにおいて、各走査線１１２に対応する画素部７０は、画像表示領域１０ａの上から下に向かって、線順次に駆動される。そして、図１４（ａ）に示すように１フィールド期間のうち１／２フィールド期間では、各画素部７０が前述したように水平走査されることにより、画像表示領域１０ａに表示画像が表示され、図１４（ｂ）に示すように１フィールド期間のうち１／２フィールド期間では、各画素部７０が前述したように水平走査されることにより、画像表示領域１０ａに黒色画像が表示される。
【０１２８】
よって、第２実施形態では、時間的に連続する２つの垂直走査期間（１フィールド期間）のうち一方の垂直走査期間（１／２フィールド期間）では、画像表示領域１０ａにおける各走査線１１２の走査信号供給期間に、各データ線１１４に対応する画素部７０毎に縦クロストークの発生を抑制すると共に、時間的に連続する２つの垂直走査期間（１フィールド期間）のうち他方の垂直走査期間（１／２フィールド期間）では、画像表示領域１０ａにおける各走査線１１２の走査信号供給期間に、各データ線１１４に対応する画素部７０毎に縦クロストークを発生し易い状態とすることが可能となる。よって、第２実施形態においても、画像表示領域１０ａに表示される表示画像における縦クロストークを低減することが可能となる。
【０１２９】
また、第２実施形態においても、第１実施形態と同様、結果的には１フィールド期間毎に、一つの表示画像及び一つの黒色画像が表示される。従って、走査線駆動回路１０４及びデータ線駆動回路１０１は倍速駆動されることとなり、その結果、表示画像上では、特に動画の場合、元のフレーム周波数で、即ち図１３及び図１４を参照して説明したような黒色画像を表示せず且つ倍速駆動を行わない場合と同様のフレーム周波数で表示しているのと同程度のなめらかさが得られることになる。以上説明したような第２実施形態によれば、液晶パネル１００において高品質な画像表示を行うことができる。
【０１３０】
＜３；電子機器＞
次に、上述した液晶装置を各種の電子機器に適用する場合について説明する。
【０１３１】
＜３−１：プロジェクタ＞
まず、この液晶装置をライトバルブとして用いたプロジェクタについて説明する。図１５は、プロジェクタの構成例を示す平面配置図である。この図に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブ１１１０Ｒ、１１１０Ｂおよび１１１０Ｇに入射される。これら３つのライトバルブ１１１０Ｒ、１１１０Ｂおよび１１１０Ｇは夫々液晶装置を含む液晶モジュールを用いて構成されている。
【０１３２】
ライトバルブ１１１０Ｒ、１１１０Ｂおよび１１１０Ｇにおいて液晶パネル１００は、画像信号供給回路３００から供給されるＲ、Ｇ、Ｂの原色信号でそれぞれ駆動されるものである。そして、これらの液晶パネル１００によって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【０１３３】
ここで、各ライトバルブ１１１０Ｒ、１１１０Ｂおよび１１１０Ｇによる表示像について着目すると、ライトバルブ１１１０Ｇによる表示像は、ライトバルブ１１１０Ｒ、１１１０Ｂによる表示像に対して左右反転することが必要となる。
【０１３４】
なお、ライトバルブ１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【０１３５】
＜３−２：モバイル型コンピュータ＞
次に、液晶装置を、モバイル型のパーソナルコンピュータに適用した例について説明する。図１６は、このパーソナルコンピュータの構成を示す斜視図である。図において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【０１３６】
＜３−３；携帯電話＞
さらに、液晶装置を、携帯電話に適用した例について説明する。図１７は、この携帯電話の構成を示す斜視図である。図において、携帯電話１３００は、複数の操作ボタン１３０２とともに、反射型の液晶装置１００５を備えるものである。この反射型の液晶装置１００５にあっては、必要に応じてその前面にフロントライトが設けられる。
【０１３７】
尚、図１５から図１７を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【０１３８】
本発明は、上述した実施形態に限られるものではなく、請求の範囲及び明細書全体から読み取れる発明の要旨或いは思想に反しない範囲で適宜変更可能であり、そのような変更を伴う電気光学装置の駆動回路及び駆動方法、該駆動回路を備えてなる電気光学装置、並びに該電気光学装置を備えてなる電子機器もまた本発明の技術的範囲に含まれるものである。
【図面の簡単な説明】
【０１３９】
【図１】液晶パネルの全体構成を示す平面図である。
【図２】図１のＨ−Ｈ'断面図である。
【図３】液晶装置の全体構成を示すブロック図である。
【図４】液晶パネルの電気的な構成を示すブロック図である。
【図５】走査線駆動回路の構成例を示す図である。
【図６】画像信号供給回路における画像信号の生成について説明するための説明図である。
【図７】走査線駆動回路の動作について説明するためのタイミングチャートである。
【図８】各データ線及び各走査線を駆動するための各種信号の経時的変化を示すタイミングチャートである。
【図９】画素スイッチング素子としてのＮチャネル型のＴＦＴの特性を、示す図である。
【図１０】図１０（ａ）及び図１０（ｂ）は、第１実施形態における領域走査を概念的に説明するための説明図である。
【図１１】図１１（ａ）は、第１実施形態における表示画面を模式的に示す図であり、図１１（ｂ）は、比較例における表示画面を模式的に示す図である。
【図１２】画素スイッチング素子としてのＰチャネル型のＴＦＴの特性を、示す図である。
【図１３】第２実施形態における液晶装置の動作に係る各種信号の経時的変化を示すタイミングチャートである。
【図１４】図１４（ａ）及び図１４（ｂ）は、各画素部の水平走査を概念的に説明するための説明図である。
【図１５】液晶装置を適用した電子機器の一例たるプロジェクタの構成を示す平面図である。
【図１６】液晶装置を適用した電子機器の一例たるパーソナルコンピュータの構成を示す斜視図である。
【図１７】液晶装置を適用した電子機器の一例たる携帯電話の構成を示す斜視図である。
【符号の説明】
【０１４０】
９ａ…画素電極、１０ａ…画像表示領域、１０…ＴＦＴアレイ基板、２０…対向基板、２１…対向電極、６２…第１フレームメモリ、６３…第２フレームメモリ、７０…画素部、１００…液晶パネル、１０１…データ線駆動回路、１０４…走査線駆動回路、１１２…走査線、１１４…データ線、１１６…ＴＦＴ、１１８…液晶素子、３００…画像信号供給回路。
【図１】
2006030970.tif 000003
【図２】
2006030970.tif 000004
【図３】
2006030970.tif 000005
【図４】
2006030970.tif 000006
【図５】
2006030970.tif 000007
【図６】
2006030970.tif 000008
【図７】
2006030970.tif 000009
【図８】
2006030970.tif 000010
【図９】
2006030970.tif 000011
【図１０】
2006030970.tif 000012
【図１１】
2006030970.tif 000013
【図１２】
2006030970.tif 000014
【図１３】
2006030970.tif 000015
【図１４】
2006030970.tif 000016
【図１５】
2006030970.tif 000017
【図１６】
2006030970.tif 000018
【図１７】
2006030970.tif 000019